(57)【要約】  本発明は、タップ付変成器のタップ切換器を無電力時に段階的に操作するための手動式駆動部に関する。本手動式駆動部は、指針（１５）と連携して位置を表示する本来の役割を果たすだけでなく、それと同時に機械式終端位置制限機構（１０，１１，１２）の構成部品として使用される位置表示用ホイール（４）を有する。更に、特に有利には、位置表示用ホイールは、電気式切換監視機構（１８）の構成部品としても使用することができる。
2012503317.tif 000002
【特許請求の範囲】
【請求項１】
タップ付変成器のタップ切換器を無電力時に段階的に操作するための手動式駆動部であって、差込可能なハンドルは、ハンドルシャフトに差し込まれて、タップ切換器を操作するための負荷用伝動機構と、位置表示器と連結された表示用伝動機構とに作用する手動式駆動部において、
この表示用伝動機構（３）が、位置表示用ホイール（４）を有することと、
手動式駆動部の完全な操作毎に、即ち、タップ切換器を二つの隣接する位置の間で切り換える毎に、位置表示用ホイール（４）が所定の角度だけ回転するように、表示用伝動機構（３）のサイズが構成されていることと、
目盛と協力して動作する指針（１５）が、位置表示用ホイール（４）上に固定して配置されていることと、
位置表示用ホイール（４）が、同心円上に作動ボルト（１１，１２）を収容するための位置決め穴（５）を有し、それらの位置決め穴が、１回の切り換えの際の位置表示用ホイール（４）の角度に相当する角度で互いに配置されていることと、
この手動式駆動部は、更に、固定されたバネ懸架部（６）を有し、そのバネ懸架部には、バネ（７）が繋留されるとともに、そのバネ（７）の自由端は、リリース板（８）に繋留されており、そのリリース板は、更に、回転可能な係止フォーク用シャフト（９）に作用し、そのシャフトには、係止フォーク（１０）が固定されていることと、
リリース板（８）は、そのリリース板を通り過ぎようとする作動ボルト（１１，１２）に当たって、横方向に偏移するように配置されていることと、
ハンドルシャフト（１）は、機械式ストッパー（２）を有することと、
偏移可能な係止フォーク（１０）が、ストッパー（２）と協力して動作して、偏移した状態では、即ち、終端位置に到達した場合に、その係止フォークが、ストッパー（２）と機械的に係合することと、
を特徴とする手動式駆動部。
【請求項２】
位置表示用ホイール（４）は、別の同心円上に、作動ボルト（１１，１２）用の位置決め穴（５）と同じピッチを有する別の位置決め穴（１７）を備えていることと、
それらの位置決め穴（１７）には、少なくとも一つの電気スイッチ（１８）と協力して動作するカムを有する切換監視セグメント（１６）が固定されていることと、
を特徴とする請求項１に記載の手動式駆動部。
【請求項３】
作動ボルト（１１，１２）と切換監視セグメント（１６）の中の一つ以上は、位置表示用ホイール（４）の選定された位置決め穴（５；１７）に取り外し可能な形で固定することができ、そのため、タップ切換器の到達可能な切換位置の相異なる数と１回の切換のためのハンドルの相異なる回転回数の両方に手動式駆動部を適合させることが可能であることを特徴とする請求項１又は２に記載の手動式駆動部。
【発明の詳細な説明】
【技術分野】
【０００１】
本発明は、タップ付変成器のタップ切換器を無電力時に段階的に操作するための手動式駆動部に関する。
【背景技術】
【０００２】
そのような手動式駆動部は、非特許文献１により既に知られている。それは、差込可能なハンドルのための負荷用伝動機構と位置表示器及び駆動停止器のための制御用伝動機構とを有する。その場合、位置表示器は、ゲージガラスの後に有る、外部から読取可能な数字盤によって実現されている。この周知の手動式駆動部では、制御用伝動機構は、カムホイールのマルタクロスクランク、マルタクロスホイール、それに続く四つの歯車、及び最後の前述した数字盤から構成される、専らこの位置表示器のための専用の伝動機構群を有する。
【０００３】
そのような位置表示器は、そのように多くの伝動機構用部品が必要なために非常に複雑になっていることは明らかである。この周知の手動式駆動部の別の欠点は、操作しているタップ切換器の各終端位置を通り過ぎてしまうことをタップ切換器自体の中ではなく手動式駆動部内の機械的な手段を用いて防止する機械式終端位置制限機構が配備されていないことである。
【先行技術文献】
【特許文献】
【０００４】
【特許文献１】国際特許公開第９８／３８６６２号明細書
【非特許文献】
【０００５】
【非特許文献１】本出願人のパンフレット「Handantrieb MR404 」
【発明の概要】
【発明が解決しようとする課題】
【０００６】
以上のことから、本発明の課題は、一方では簡単かつ容易に読取可能な位置表示器を有し、他方では簡単な機械式ではあるが、信頼できる終端位置制限機構を有する、冒頭で述べた形式の手動式駆動部を提示することである。
【課題を解決するための手段】
【０００７】
本課題は、請求項１の特徴を有する手動式駆動部によって解決される。従属請求項は、本発明の有利な改善構成を記載している。
【０００８】
本発明の基本的な考えは、改善された光学的に容易に読取可能な位置表示器の何れにせよ必要な部品を同時に機械式終端位置制限機構のためにも使用することである。そのことは、必要な部品の数を低減する。本発明の別の利点は、そのような終端位置制限機構を手動式駆動部の位置の様々な総数に簡単に適合させることができることである。
【０００９】
特許文献１により、表示盤上に二つの目盛を有する、タップ切換器を操作するためのモーター式駆動部の位置表示器が周知である。第一の目盛上には、切換時にタップ切換器の一つの操作位置から隣の別の操作位置に移動する個々の切換段階に対応するシンボルが配置されている。第一の指針が、この第一の目盛の上を移動する。更に、個々の操作位置に対応するシンボルが上に配置された第二の目盛が配備されている。この目盛は、切換毎に二つの隣接する操作位置シンボルの間の角度だけ回転する第二の指針と協力して動作する。表示盤の下には、表示用伝動機構が配備されており、それは、１回の切換時に第一の指針が回転方向に応じて３６０°回転して、第二の指針が回転方向に応じて前述した第二の目盛上の二つの隣接するシンボル間の角度だけ回転するように構成されている。
【００１０】
本発明では、そのようなタップ切換器のモーター式駆動部用の周知の位置表示器をタップ切換器の手動式駆動部用に変更するとともに、機械的に終端位置を制限するための手段を追加することによって更に発展させている。それによって、手動式駆動部の部品削減と全体的に簡単な構造が特に有利な手法で実現することが可能である。
【００１１】
以下において、図面に基づき本発明の例を更に詳しく説明する。
【図面の簡単な説明】
【００１２】
【図１】終端位置制限機構を備えた手動式駆動部の部分図
【図２】手動式駆動部が終端位置に到達した場合の終端位置制限機構の様々な位置の中の一つを図示した図
【図３】手動式駆動部が終端位置に到達した場合の終端位置制限機構の様々な位置の中の一つを図示した図
【図４】手動式駆動部が終端位置に到達した場合の終端位置制限機構の様々な位置の中の一つを図示した図
【図５】終端位置制限機構の重要な部品を模式的に図示した斜視図
【図６】図５を逆側から見た、本発明による手動式駆動部の一部を同じく模式的に図示した斜視図
【発明を実施するための形態】
【００１３】
先ずは、図１に図示された本発明による手動式駆動部の終端位置制限機構の構造を詳しく説明する。この手動式駆動部は、図示されていない差込可能なハンドルによって回転することができるハンドルシャフト１を有する。ここでは、ハンドルを、従って、ハンドルシャフト１を８回転することが、１回の完全な切換に相当する。後で更に詳しく説明するストッパー２が、ハンドルシャフト１１と固く連結されている。ハンドルシャフト１は、表示用伝動機構３に作用し、その伝動機構が、更に位置表示用ホイール４に作用する。表示用伝動機構３のサイズは、手動式駆動部の完全な操作毎に、即ち、それに対応するタップ切換器を二つの隣接する位置の間で切り換える毎に、位置表示用ホイール４が所定の角度だけ回転するように構成されている。その角度は、図示されていない表示盤上の二つの隣接する位置シンボル間の間隔に相当する。位置表示用ホイール４と固く連結された指針が、それらの位置シンボルの上を移動するが、その指針は、ここでは図示されていない。従って、既に特許文献１により周知の通り、実際の操作位置が、それぞれ指針によって指し示される。更に、位置表示用ホイール４の同心円上には、位置決め穴５が有り、それらの穴は、１回の切換時の位置表示用ホイール４の回転角、従って、それと連結された指針の回転角と等しい同じ角度で互いに配置されている。更に、手動式駆動部の図示されていない支持体上には、固定されたバネ懸架部６が有り、そこには、バネ７が繋留されている。バネ７の別の自由端は、リリース板８に繋留されており、そのリリース板は、更に、回転可能な係止フォーク用シャフト９に作用し、そのシャフトには、係止フォーク１０が回転しない形で固定されている。図１には、更に、手動式駆動部が到達可能な終端位置に対応する二つの作動ボルト１１，１２が図示されている。このリリース板８は、そこを通り過ぎようとする作動ボルト１１，１２が当たって、当たった作動ボルト１１又は１２の回転方向に応じて横方向に偏移するように配置されている。ストッパー２は、後で更に詳しく説明するストッパー用輪郭１３を有する。係止フォーク１０自体は、ストッパー用輪郭１３と協力して動作する係止フォーク用輪郭１４を有する。
【００１４】
従って、ハンドルシャフト１の回転は、位置表示用ホイール４の回転を引き起こす。その場合、前述した通り、ハンドルシャフト１の回転運動は、表示用伝動機構３によって、切換毎の任意の回転角として低減される。そのような切換毎の回転角は、位置表示用ホイール４と連結された、その時点でタップ切換器が占める実際の操作位置を表示するための指針に伝達される。それによって、特許文献１により既に周知の通り、指針は、固定された目盛上を移動する。終端位置制限機構用の作動ボルト１１を収容する役割を果たす位置決め穴５は、前述した通り、前記の回転角の間隔で配置されている。そうすることによって、作動ボルト１１から、それに対応するタップ切換器の各操作位置と関連する情報を取得することができる。本発明では、そのような作動ボルト１１は、終端位置の検出のために使用される。そのために、タップ切換器の到達可能な最後の操作位置よりもちょうど一つの位置だけ大きな操作位置に対応する位置決め穴５には、それに対応する作動ボルト１１，１２がそれぞれ設置される。言い換えると、作動ボルト１１，１２は、両側の角度範囲に対して、各タップ切換器の切換可能な各終端位置の左側と右側に置かれ、それによって切換範囲の両側を限定するように配置される。タップ切換器の到達可能な位置の数、従って、作動ボルト１１，１２の位置は、タップ切換器の各構造形式に依存する。位置表示用ホイール４の同心円全体の上に位置決め穴５を各々の角度間隔で配置することによって、手動式駆動部が協力して動作する各タップ切換器及びその到達可能な位置の数に対して手動式駆動部を簡単に適合させることができる。
【００１５】
図２は、タップ切換器の到達可能な最後の操作位置を図示している。この位置では、終端位置制限機構は、図示された状態に有る。係止フォーク１０は、未だバネ７によって固定された中立位置に有り、作動ボルト１１は、リリース板８と接触していない。
【００１６】
図３は、到達可能な最後の位置、即ち、終端位置を越えて更に切り換えようとする状態の終端位置制限機構を図示している。この場合、ハンドルを半回転した状態が図示されており、それは１回の切換の１／１６に相当する。作動ボルト１１が今からリリース板８と接触しようとしていることが分かる。従って、係止フォーク１０は、バネ７の力に対抗して、その中立位置から左側に偏移しようとしている。この状態では、ストッパー２は、辛うじて係止フォーク１０を通り過ぎて移動することができる。
【００１７】
図４は、到達可能な最後の終端位置を越えて更に回転を続けようとする状態を図示しており、ハンドルを１・１／４回転させた状態であり、それは１回の切換の５／３２に相当する。作動ボルト１１は、ちょうどリリース板８を押しており、従って、係止フォーク１０を中立位置から左側に更に押している。そのため、ストッパー２のストッパー用輪郭１３は、もはや係止フォーク１０を通り過ぎて行けない。終端位置制限機構が作動し、係止フォーク１０とストッパー２のストッパー用輪郭１３との形状結合式ロックによって、その方向への更なる回転は不可能となる。その逆方向に、即ち、タップ切換器の終端位置からその正規の切換範囲内にハンドルを回転させることによってのみ、手動式駆動部のブロックを自動的に解除することができる。
【００１８】
図５は、作動ボルト１１，１２、係止フォーク用輪郭１４を有する係止フォーク１０と固く連結されたリリース板８、及びストッパー用輪郭１３を有するストッパー２の協力した動作を模式図で再度図示している。
【００１９】
図６は、本発明による手動式駆動部を逆側から見た同様の斜視図を図示している。ここでは、位置表示用ホイール４と固く連結された、前に既に述べた指針１５も図示されている。指針が上を移動することができる、到達可能な操作位置に対応する個々のシンボルを備えた、指針１５の下に有る表示盤は図示されていない。既に上述した通り、指針１５が、切換毎に、二つの隣接する位置シンボル間の間隔に相当する所定の角度だけ回転することが重要である。本発明の特に有利な改善構成では、位置表示用ホイール４の別のピッチの円上に設けられた別の位置決め穴１７に固定された切換監視セグメント１６も配備される。この切換監視セグメント１６の正面側には、表示シンボルと同じピッチを有するカムが設けられている。これらのカムは、周知の通り、電気スイッチ１８と協力して動作して、そのスイッチと一緒に電気的に切換を監視する役割を果たす。
【００２０】
作動ボルト１１，１２の選択的な位置決めと同様に、操作するタップ切換器の具体的な構造形態に応じて、切換監視セグメントも柔軟に配置される。切換監視セグメント１６の位置も、タップ切換器のステップ数に依存する。その場合、それぞれ到達可能な切換位置に対して、正面側に特徴的な部分輪郭、即ち、カムの頂点と溝を設けられるようなサイズで構成される。
【００２１】
全体として、本発明による手動式駆動部は、一連の利点を提供する。タップ切換器で既に周知の手法の通り、指針１５を用いて光学的に良好に読取可能な形で位置を表示する役割を果たす位置表示用ホイール４が得られる。本発明では、そのような位置表示用ホイール４が、同時に機械式終端位置制限機構の構成部品としても使用される。更に、特に有利には、電気式切換監視機構の構成部品としても使用することができる。即ち、位置表示用ホイール４の多目的利用が行われており、その結果少ない部品で簡単な構造が得られる。更に、操作すべきタップ切換器に対応して、全ての機能を簡単に適合させることが可能である。そのような適合は、タップ切換器の到達可能な切換位置の数と１回の切換に必要なハンドルの回転回数の両方に関して実施される。最後に、位置表示器の様々なピッチ、即ち、隣接する位置シンボル間の様々な角度間隔に対して簡単に適合させることも同様に可能である。
【符号の説明】
【００２２】
１    ハンドルシャフト
２    ストッパー
３    表示用伝動機構
４    位置表示用ホイール
５    位置決め穴
６    バネ懸架部
７    バネ
８    リリース板
９    係止フォーク用シャフト
１０    係止フォーク
１１    作動ボルト
１２    作動ボルト
１３    ストッパー用輪郭
１４    係止フォーク用輪郭
１５    指針
１６    切換監視セグメント
１７    位置決め穴
１８    電気スイッチ
【図１】
2012503317.tif 000003
【図２】
2012503317.tif 000004
【図３】
2012503317.tif 000005
【図４】
2012503317.tif 000006
【図５】
2012503317.tif 000007
【図６】
2012503317.tif 000008
【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
タップ付変成器のタップ切換器を無電力時に段階的に操作するための手動式駆動部であって、
差込可能なハンドルは、ハンドルシャフトに差し込まれて、タップ切換器を操作するための負荷用伝動機構と、位置表示器と連結された表示用伝動機構とに作用し、
この表示用伝動機構（３）が、位置表示用ホイール（４）を有し、
手動式駆動部の完全な操作毎に、即ち、タップ切換器を二つの隣接する位置の間で切り換える毎に、位置表示用ホイール（４）が所定の角度だけ回転するように、表示用伝動機構（３）のサイズが構成されており、
この手動式駆動部は、更に、固定されたバネ懸架部（６）を有し、そのバネ懸架部には、バネ（７）が繋留されるとともに、そのバネ（７）の自由端は、リリース板（８）に繋留されており、そのリリース板は、更に、回転可能な係止フォーク用シャフト（９）に作用し、そのシャフトには、係止フォーク（１０）が固定されており、
リリース板（８）は、そのリリース板を通り過ぎようとする作動ボルト（１１，１２）に当たって、横方向に偏移するように配置されており、
ハンドルシャフト（１）は、機械式ストッパー（２）を有し、
偏移可能な係止フォーク（１０）が、ストッパー（２）と協力して動作して、偏移した状態では、即ち、終端位置に到達した場合に、その係止フォークが、ストッパー（２）と機械的に係合する、
手動式駆動部において、
目盛と協力して動作する指針（１５）が、位置表示用ホイール（４）上に固定して配置されていることと、
位置表示用ホイール（４）が、同心円上に作動ボルト（１１，１２）を収容するための位置決め穴（５）を有し、それらの位置決め穴が、１回の切り換えの際の位置表示用ホイール（４）の角度に相当する角度で互いに配置されていることと、
作動ボルト（１１，１２）は、位置表示用ホイール（４）の選定された位置決め穴（５）に取り外し可能な形で固定することができ、そのため、タップ切換器の到達可能な切換位置の相異なる数と１回の切換のためのハンドルの相異なる回転回数の両方に手動式駆動部を適合させることが可能であることと、
を特徴とする手動式駆動部。
【請求項２】
位置表示用ホイール（４）は、別の同心円上に、作動ボルト（１１，１２）用の位置決め穴（５）と同じピッチを有する別の位置決め穴（１７）を備えていることと、
それらの位置決め穴（１７）には、少なくとも一つの電気スイッチ（１８）と協力して動作するカムを有する切換監視セグメント（１６）が固定されていることと、
を特徴とする請求項１に記載の手動式駆動部。
【国際調査報告】
2012503317.tif 000009
2012503317.tif 000010
2012503317.tif 000011
2012503317.tif 000012